(57)【要約】【課題】左右一対の操作部を、折り返し部５を介して接続したトングにおいて、操作部を確実に閉じることができるようにする。【解決手段】トングの全体は、細長板材料をＵ字形に二つ折りした形状をなしており、把持部１，２と操作部３，４と折り返し部５とを有する。一方及び他方の操作部３，４の一方側にＬ字形状の係合部８を設けると共に、他方側にも係合部８が係合可能なＬ字形状の係合受け部９を設ける。第１の突部10の第１先端11は第４の突部14に対向すると共に、第３の突部13の第２の先端11Ａは第２の突部12に対向する。係合部８を幅方向Ｙにずらして係合受け部９に係合することで、操作部３，４間を係合して両者間を狭めて維持しておくことができる。【選択図】図１
0003146725.tif 000002
【実用新案登録請求の範囲】
【請求項１】
相対向してそれぞれ設けられると共に把持対象物を把持する左右一対の一方及び他方の把持部と、該一方及び他方の把持部を長さ方向の下端側に備え相対向して上方に延びると共に前記一方及び他方の把持部による把持・把持解除操作を行う左右一対の一方及び他方の操作部と、該一方及び他方の操作部をそれぞれの上部において一体的に連結し上方に向けて左右方向に折り返す折り返し部とからなるトングにおいて、前記一方及び他方の操作部の一方側に係合部を設けると共に、他方側に前記係合部が係合可能な係合受け部を設けたことを特徴とするトング。
【請求項２】
前記係合部は、他方の前記操作部に向けて突設する第１の突部と、該第１の突部の第１の先端側に設けられ前記一方の操作部の幅方向の一方に突設する第２の突部とを備え、前記係合受け部は、前記一方の操作部に向けて突設する第３の突部と、該第３の突部の第２の先端側に設けられ前記他方の操作部の幅方向の他方に突設する第４の突部とを備えることを特徴とする請求項１記載のトング。
【請求項３】
前記第２の突部と前記第４の突部は対向することを特徴とする請求項２記載のトング。
【請求項４】
前記第１の突部は前記幅方向の前記他方に偏位すると共に、前記第３の突部は前記幅方向の前記一方に偏位していることを特徴とする請求項３記載のトング。
【請求項５】
前記第２の突部における前記一方の操作部側に対向する第１の対向部位は、第２の突部の第３の先端側に沿って前記一方の操作部側に近づく形状に形成され、前記第４の突部における前記他方の操作部側に対向する第２の対向部位は、第４の突部の第４の先端側に沿って前記他方の操作部側に近づく形状に形成されたことを特徴とする請求項２〜４のいずれか1項に記載のトング。
【請求項６】
金属製又は及び合成樹脂製の板状を略Ｕ字形状に折り曲げて形成したことを特徴とする請求項１〜５のいずれか１項に記載のトング。
【考案の詳細な説明】
【技術分野】
【０００１】
本考案は、割り氷や角砂糖或いは麺類やバーベキューの肉、野菜等各種食材のような把持対象物を把持して扱うトングに関するものである。
に関するものである。
【背景技術】
【０００２】
従来、この種のものとして相対向してそれぞれ設けられると共に把持対象物を把持する左右一対の把持部と、該把持部を下端側に備え相対向して上方に延びると共に前記把持部による把持・把持解除操作を行う操作部と、該両操作部を上端部において一体的に連結し、上方に向けて左右方向に折り返して弯曲すると共に弾性を有する弾性弯曲部とからなるトングが知られている（例えば、特許文献１）。
【０００３】
さらにこのようなトングにおいて、使用しないときには左右一対の把持部を閉じておく必要がある。このようなものとして左右一対の把持部の開き度を調整できるものとして左右一対の把持部間に、嵌脱する一部分を切欠きしたリングを組み合わせたものも知られている（例えば、特許文献２）。
【特許文献１】特許第４０２２９２４号公報
【特許文献２】実開昭５６−１４２９６２号公報
【考案の開示】
【考案が解決しようとする課題】
【０００４】
しかし、従来技術においては、左右一対の把持部を閉じる手段は把持部間のリングで行うものであるので、リングがずれてしまい、この結果左右一対の把持部が開いてしまうおそれがある。
【０００５】
解決しようとする問題点は、把持部をそれぞれ備えた左右一対の操作部を、折り返し部を介して接続したトングにおいて、操作部を確実に閉じることができるようにする点である。
【課題を解決するための手段】
【０００６】
請求項１の考案は、相対向してそれぞれ設けられると共に把持対象物を把持する左右一対の一方及び他方の把持部と、該一方及び他方の把持部を長さ方向の下端側に備え相対向して上方に延びると共に前記一方及び他方の把持部による把持・把持解除操作を行う左右一対の一方及び他方の操作部と、該一方及び他方の操作部をそれぞれの上部において一体的に連結し上方に向けて左右方向に折り返す折り返し部とからなるトングにおいて、前記一方及び他方の操作部の一方側に係合部を設けると共に、他方側に前記係合部が係合可能な係合受け部を設けたことを特徴とするトングである。
【０００７】
請求項２の考案は、前記係合部は、他方の前記操作部に向けて突設する第１の突部と、該第１の突部の第１の先端側に設けられ前記一方の操作部の幅方向の一方に突設する第２の突部とを備え、前記係合受け部は、前記一方の操作部に向けて突設する第３の突部と、該第３の突部の第２の先端側に設けられ前記他方の操作部の幅方向の他方に突設する第４の突部とを備えることを特徴とする請求項１記載のトングである。
【０００８】
請求項３の考案は、前記第２の突部と前記第４の突部は対向することを特徴とする請求項２記載のトングである。
【０００９】
請求項４の考案は、前記第１の突部は前記幅方向の前記他方に偏位すると共に、前記第２の突部は前記幅方向の前記一方に偏位していることを特徴とする請求項３記載のトングである。
【００１０】
請求項５の考案は、前記第２の突部における前記一方の操作部側に対向する第１の対向部位は、第２の突部の第３の先端側に沿って前記一方の操作部側に近づく形状に形成され、前記第４の突部における前記他方の操作部側に対向する第２の対向部位は、第４の突部の第４の先端側に沿って前記他方の操作部側に近づく形状に形成されたことを特徴とする請求項２〜４のいずれか1項に記載のトングである。
【００１１】
請求項６の考案は、金属製又は及び合成樹脂製の板状を略Ｕ字形状に折り曲げて形成したことを特徴とする請求項１〜５のいずれか１項に記載のトングである。
【考案の効果】
【００１２】
請求項１の考案によれば、係合部を係合受け部に係合することで、操作部間を係合して両者間を狭めて維持しておくことができる。
【００１３】
請求項２の考案によれば、第２の突部と第４の突部との係合によって確実に操作部間を係合して両者間を狭めて維持しておくことができる。
【００１４】
請求項３の考案によれば、操作部間を狭めたときに、係合部が係合受け部に係合することなく、通常通り操作部、把持部を開閉することができる。
【００１５】
請求項４の考案によれば、係合部を係合受け部に係合するときには、操作部を多少ずらして元に戻すことで係合を行うことができる。
【００１６】
請求項５の考案によれば、係合部と係合受け部との係合状態では、係合の維持方向に作用することになるので、係合状態の保持を確実に行うことができる。
【００１７】
請求項６の考案によれば、折り曲げにより弾性力を発揮することができる。
【考案を実施するための最良の形態】
【００１８】
本考案における好適な実施の形態について、添付図面を参照して説明する。尚、以下に説明する実施の形態は、実用新案登録請求の範囲に記載された本考案の内容を限定するものではない。また、以下に説明される構成の全てが、本考案の必須要件であるとは限らない。
【実施例１】
【００１９】
図１〜５は実施例１を示しており、トングの全体は、細長板材料をＵ字形に二つ折りした形状をなしており、把持部１，２と操作部３，４と折り返し部５とを有する。一方及び他方の把持部１，２は、相対向して設けられると共に把持対象物（図示せず）を把持するように左右一対設けられる。実施例では把持部１，２を合成樹脂製板状部材６により形成し、折り返し部５を鋼等金属製板状部材７により形成し、さらに金属製板状部材７を合成樹脂製板状部材６に挿入して操作部３，４を把持部１，２より延長した合成樹脂部分と折り返し部５より延長した金属部分とで併用している。
【００２０】
一方及び他方の把持部１，２の縁１Ａ、１Ｂは複数本の指先形状に形成されている。また一方及び他方の操作部３，４は、一方及び他方の把持部１，２を長さ方向Ｘの下端側に備え相対向して上方に延びると共に一方及び他方の把持部１，２による把持・把持解除操作を行うことができるように左右一対に設けられる。折り返し部５は、一方及び他方の操作部３，４を一方及び他方の上端部において一体的に連結し上方に向けて左右方向に折り返して形成される。さらに、一方及び他方の操作部３，４間に使用者による力がかかっていない状態では、折り返し部５の弾性力によって一方及び他方の把持部１，２は開いた状態に保持されている。
【００２１】
そして、不使用時などにおいて一方及び他方の把持部１，２を閉じる状態を維持するため、一方の操作部３，４に係合部８を設けると共に、他方の操作部３，４に係合部８が係合可能な係合受け部９を設ける。これら係合部８、係合受け部９は操作部３，４における合成樹脂で形成された合成樹脂製板状部材６に設けられるものであって、相互に係合可能なものである。
【００２２】
前記係合部８は、一方の把持部１の内側面に設けられるもので、他方の操作部４に向けて突設する第１の突部10と、第１の突部10の第１の先端11側に設けられ把持部１の幅方向Ｙの一方に突設する第２の突部12とを備えてＬ字形状に形成されている。この断面がＬ字型の係合部８は、一方の操作部３のほぼ中央で長さ方向Ｘに沿ってフック状に形成されている。尚、幅方向Ｙは長さ方向Ｘと直交し、さらに操作部３，４の開閉方向Ｚと直交する方向を示す。前記係合受け部９は、他方の把持部２の内側面のほぼ中央係合部８と対抗するように設けられるもので、一方の操作部３に向けて突設する第３の突部13と、該第３の突部13の第２の先端11Ａ側に設けられ幅方向Ｙの他方に突設する第４の突部14とを備えて向きを換えたＬ字形状に形成されている。この断面がＬ字型の係合受け部９は、他方の操作部４のほぼ中央で長さ方向Ｘに沿ってフック状に形成されている。
【００２３】
また、第２の突部12における一方の操作部３側に対向する第１の対向部位15は、第２の突部12の第３の先端16側に沿って一方の操作部３側に近づく形状に形成されている。実施例では、第１の対向部位15は一様な傾斜を有する傾斜面に形成され、第１の対向部位15と一方の操作部３側との距離Ｌは第３の先端16側に沿って次第に短くなっている。同様に、第４の突部14における他方の操作部４側に対向する第２の対向部位17は、第４の突部14の第４の先端18側に沿って他方の操作部４側に近づく形状に形成されている。
【００２４】
そして、第１の突部10は幅方向Ｙの中心Ｚより他方（図２では右側）に、第３の突部13は幅方向Ｙの中心Ｚより一方（図２では左側）に偏位しており、これにより第２の突部12と第４の突部14は対向するように設けられている。
【００２５】
尚、前記把持部１，２、操作部３，４の厚みより弾性弯曲状部である折り返し部５の厚みは薄く形成され、折り返し部５の幅方向Ｙの少なくとも一方の縁に円弧部（図示せず）を幅方向に形成している。
【００２６】
次に前記構成についてその作用を説明する。使用時は一方及び他方の操作部３，４に指Ｆを掛けて両者間を狭めると、折り返し部５の弾性力に抗して把持部１，２間が狭まって把持対象物を把持して扱うことができる。
【００２７】
このように操作部３，４間を狭められて把持対象物を把持するときに、図２に示すように係合部８と係合受け部９とが衝突して両者間がロックされてしまうおそれがあるが、それぞれ幅方向Ｙに突設する第２の突部12と第４の突部14が相互に当たってそれ以上狭まるようなことはなく、また両者が引っ掛かるようなこともない。
【００２８】
尚、操作部３，４間を狭めたとき、第２の突部12と第４の突部14が相互に当たってそれ以上狭まるようなことはなくなることで、一方の把持部１，２と他方の把持部１，２との間に隙間ができてしまうおそれがあるが、このようなときは図４に示すように把持部１，２とそれぞれ係合部８、係合受け部９との間の操作部３，４間を狭めることで、第２の突部12と第４の突部14が相互に当たっていたとしても、把持部１，２相互を閉じることができる。
【００２９】
次に、不使用時においては、操作部３，４間を狭めた状態に維持する。これは折り返し部５を中心として図２において一点鎖線で示すように一方の操作部３を幅方向Ｙの中心Ｚより他方にややずらし、また他方の操作部４を幅方向Ｙの中心Ｚより一方にややずらすことで、第２の突部12の第３の先端16と第４の突部14の第４の先端18といったん突き合わせるようにする。そして、操作部３，４を相互に押込むと、第３の先端16は第４の先端18を乗り越え、第４の先端18は第３の先端16を乗り越えて、そして幅方向Ｙにずれていた操作部３，４が幅方向Ｙの中心Ｚと一致するように復帰すると、図３に示すように係合部８は係合受け部９に係合して、この固定状態が折り返し部５の弾性力に抗して維持される。
【００３０】
尚、係合部８が係合受け部９に係合して操作部３，４を狭めた状態では、第２の突部12における一方の操作部３，４側に対向する第１の対向部位15は、第２の突部12の第３の先端16側に沿って一方の操作部３，４側に近づく形状に形成されており、第４の突部14における他方の操作部３，４側に対向する第２の対向部位17は、第４の突部14の第４の先端18側に沿って他方の操作部３，４側に近づく形状に形成されていることで、係合部８と係合受け部９との係合状態は抜け止め方向に作用するので、トングの運搬時などに振動等が生じても、外れるようなことはない。
【００３１】
一方、狭めた操作部３，４間を解除するときは、係合のときと逆に折り返し部５を中心として操作部３，４を幅方向Ｙの中心Ｚより外側にややずらすことで、第２の突部12の第３の先端16と第４の突部14の第４の先端18といったん突き合わせるようにした後、折り返し部５の弾性力を利用して開くことができる。
【００３２】
以上のように、前記実施例では請求項１に対応して、相対向してそれぞれ設けられると共に把持対象物を把持する左右一対の一方及び他方の把持部１，２と、該一方及び他方の把持部１，２を長さ方向Ｘの下端側に備え相対向して上方に延びると共に一方及び他方の把持部１，２による把持・把持解除操作を行う左右一対の一方及び他方の操作部３，４と、該一方及び他方の操作部３，４を一方及び他方の上端部において一体的に連結し上方に向けて左右方向に折り返す折り返し部５とを備え、一方及び他方の操作部３，４の一方側に係合部８を設けると共に、他方側に係合部８が係合可能な係合受け部９を設けたことによって、係合部８を係合受け部９に係合することで、操作部３，４間を係合して両者間を狭めて維持しておくことができる。
【００３３】
前記実施例では請求項２に対応して、係合部８は、他方の操作部４に向けて突設する第１の突部10と、該第１の突部10の第１の先端11側に設けられ一方の操作部３の幅方向Ｙの一方に突設する第２の突部12とを備え、係合受け部９は、一方の操作部３に向けて突設する第３の突部13と、該第３の突部13の第２の先端11Ａ側に設けられ他方の操作部４の第２の幅方向の他方に突設する第４の突部14とを備えることにより、第２の突部12と第４の突部14との係合によって確実に係合状態を維持することができる。
【００３４】
前記実施例では請求項３に対応して、前記第２の突部と前記第４の突部は対向することで、両者間が係合するようなことはなく、通常通り操作部３，４、ひいては把持部１，２を開閉することができる。
【００３５】
前記実施例では請求項４に対応して、第１の突部10は幅方向Ｙの他方に偏位すると共に、第３の突部13は幅方向Ｙの一方に偏位していることで、操作部３，４をそれぞれ多少ずらして元に戻すことで確実に係合を行うことができる。
【００３６】
前記実施例では請求項５に対応して、第２の突部12における一方の操作部３，４側に対向する第１の対向部位15は、第２の突部12の第３の先端16側に沿って一方の操作部３側に近づく形状に形成され、第４の突部14における他方の操作部４側に対向する第２の対向部位17は、第４の突部14の第４の先端18側に沿って他方の操作部４側に近づく形状に形成されたことにより、第２の対向部位17と第４の突部14とは、係合状態の解除防止方向に作用することになるので、係合状態の保持を確実に行うことができる。
【００３７】
前記実施例では請求項６に対応して、把持部１，２を合成樹脂製板状部材６により形成し、折り返し部５を鋼等金属製板状部材７により形成し、さらに金属製板状部材７を合成樹脂製板状部材６に挿入して操作部３，４を把持部１，２より延長した合成樹脂部分と折り返し部５より延長した金属部分とで併用して、金属製及び合成樹脂製の板状を略Ｕ字形状に折り曲げて形成したことで、折り返し部５の弾性力を確保し、また折り返し部５を中心として操作部３，４を幅方向Ｙにずらす操作も簡単に行うことができる。
【実施例２】
【００３８】
図６は実施例２を示しており、前記実施例１と同一部分には同一符号を付し、その詳細な説明を省略する。実施例２では把持部１，２の縁１Ｃ、１Ｄ形状を波形状としたものである。
【産業上の利用可能性】
【００３９】
以上のように本考案にかかるトングは、各種の用途に適用できる。例えば、トング全体を合成樹脂や鋼など金属によって形成してもよい。
【図面の簡単な説明】
【００４０】
【図１】本考案の第１実施例を示す開いた状態の全体斜視図である。
【図２】同係合部８と係合受け部が当たった状態の断面図である。
【図３】同係合部８と係合受け部が係合した状態の断面図である。
【図４】同狭めた状態の全体斜視図である。
【図５】同全体の正面図である。
【図６】本考案の第２実施例を示す開いた状態の全体斜視図である。
【符号の説明】
【００４１】
１，２  把持部
３，４  操作部
５  折り返し部
８  係合部
９  係合受け部
10  第１の突部
11  第１の先端
11Ａ  第２の先端
12  第２の突部
13  第３の突部
14  第４の突部
15  第１の対向部位
16  第３の先端
17  第２の対向部位
18  第４の先端
Ｘ  長さ方向
Ｙ  幅方向
【図１】
0003146725.tif 000003
【図２】
0003146725.tif 000004
【図３】
0003146725.tif 000005
【図４】
0003146725.tif 000006
【図５】
0003146725.tif 000007
【図６】
0003146725.tif 000008